(57)【要約】【課題】滑りにくい筆記具を提供すること。【解決手段】  本発明は、筆記具の軸体１０の一方端側１０Ａに筆記部２０が形成された筆記具１である。また、軸体１０は四角柱及び五角柱で形成されている。それにより、筆記具１は、使用者の手に馴染み、手から滑り落ちにくいことを特徴とする。【選択図】  図１
2014046513.tif 000002
【特許請求の範囲】
【請求項１】
軸体の一方端側に筆記部が形成された筆記具において、
前記軸体は四角柱と五角柱で形成されていること、
を特徴とする筆記具。
【発明の詳細な説明】
【技術分野】
【０００１】
本発明は、受験生が使用する筆記具に関する。
【背景技術】
【０００２】
大学受験の受験生、高校受験の受験生、中学受験の受験生、資格試験の受験生、就職試験の受験生等と、世の中には多くの受験生が存在する。
受験生は、合格を目指し懸命に勉強を行う。そのため、合格を祈願し、神社やお寺にて特許文献１に記載するお守り等の祈願グッズを買うことがある。
【先行技術文献】
【特許文献】
【０００３】
【特許文献１】特開２０１０−２５２９６６号公報
【発明の概要】
【発明が解決しようとする課題】
【０００４】
しかしながら、従来技術には以下の問題があった。
すなわち、お守りはいつも受験時に使用するものではなく所持するものである。そのため、試験に持ち忘れる恐れがあった。
また、受験時に使用する筆記具は丸みを帯びている物が多くすべりやすいため問題であった。特に、筆記具が丸みを帯びていることにより、使用時に手を滑らすことがある。そのため、縁起が悪いと受験生から敬遠されていた。
【０００５】
そこで、本発明は、上記問題点を解決するためになされたものであり、その目的は受験時に使用するものでお守り代わりとなる筆記具であり、かつ、滑りにくい筆記具を提供することを目的とする。
【課題を解決するための手段】
【０００６】
上記目的を達成するために、本発明の一態様における筆記具は、以下の構成を有する。
(１)軸体の一方端側に筆記部が形成された筆記具において、前記軸体は四角柱と五角柱で形成されていること、を特徴とする。
【０００７】
上記構成を有することにより、使用時に手から滑ることがない。また、普段から使用するものであり、試験時に筆記するために必要であるため試験時に忘れることがない。
【発明の効果】
【０００８】
上記筆記具を用いることで、使用時に手から滑ることがない。
【図面の簡単な説明】
【０００９】
【図１】本発明の本実施例に係るシャープペンシルの正面図である。
【図２】本発明の本実施例に係るシャープペンシルの平面図である。
【図３】本発明の本実施例に係るシャープペンシルの底面図である。
【図４】本発明の本実施例に係るシャープペンシルの右側面図である
【図５】本発明の本実施例に係るシャープペンシルの左側面図である。
【図６】本発明の本実施例に係るシャープペンシルの斜視図である。
【図７】本発明の本実施例に係るボールペンの正面図である。
【図８】本発明の本実施例に係るボールペンの平面図である。
【図９】本発明の本実施例に係るボールペンの底面図である。
【図１０】本発明の本実施例に係るボールペンの右側面図である
【図１１】本発明の本実施例に係るボールペンの左側面図である。
【図１２】本発明の本実施例に係るボールペンの斜視図である。
【図１３】本発明の本実施例に係るボールペンの使用状態を示す斜視図である。
【図１４】本発明の本実施例に係る鉛筆の正面図である。
【図１５】本発明の本実施例に係る鉛筆の平面図である。
【図１６】本発明の本実施例に係る鉛筆の底面図である。
【図１７】本発明の本実施例に係る鉛筆の右側面図である。
【図１８】本発明の本実施例に係る鉛筆の左側面図である。
【図１９】本発明の本実施例に係る鉛筆の斜視図である。
【図２０】本発明の本実施例に係る鉛筆の使用状態を示す斜視図である。
【図２１】参考例１に係る消しゴムの正面図である。
【図２２】参考例１に係る消しゴムの平面図である。
【図２３】参考例１に係る消しゴムの底面図である。
【図２４】参考例１に係る消しゴムの右側面図である。
【図２５】参考例１に係る消しゴムの左側面図である。
【図２６】参考例１に係る消しゴムの斜視図である。
【図２７】参考例２に係る箸の正面図である。
【図２８】参考例２に係る箸の背面図である。
【図２９】参考例２に係る箸の平面図である。
【図３０】参考例２に係る箸の底面図である。
【図３１】参考例２に係る箸の右側面図である。
【図３２】参考例２に係る箸の左側面図である。
【図３３】参考例２に係る箸の斜視図である。
【図３４】参考例２に係る箸の図２７に示すＡＡ断面図である。
【図３５】参考例３に係る箸の正面図である。
【図３６】参考例３に係る箸の平面図である。
【図３７】参考例３に係る箸の底面図である。
【図３８】参考例３に係る箸の右側面図である。
【図３９】参考例３に係る箸の左側面図である。
【図４０】参考例３に係る箸の斜視図である。
【図４１】参考例４に係る箸の正面図である。
【図４２】参考例４に係る箸の平面図である。
【図４３】参考例４に係る箸の底面図である。
【図４４】参考例４に係る箸の右側面図である。
【図４５】参考例４に係る箸の左側面図である。
【図４６】参考例４に係る箸の斜視図である。
【発明を実施するための形態】
【００１０】
次に、本発明に係る筆記具の一実施のシャープペンシルの形態について図面を参照して説明する。
図１に示すように、シャープペンシル１は、軸体１０と筆記部２０とプッシュ部３０を有する。
軸体１０は五角柱形状である。筆記部２０が形成されている一方端部１０Ａ側の反対側である他方端部１０Ｂには、立方体形状であるプッシュ部３０が形成されている。筆記部２０が五角柱形状であり、プッシュ部３０が立方体形状であることにより、シャープペンシル１は転がりにくくなる。
【００１１】
また、使用者は五角柱形状である軸体１０を把持して筆記するため五角柱形状の角部が手に馴染む。したがって、手から滑りにくくなる。
【００１２】
なお、軸体１０に対する五角柱形状と四角柱形状であるプッシュ部３０の位置を反対にすることもできる。具体的には軸体１０を四角柱形状として、プッシュ部３０を五角柱形状とする。
【００１３】
プッシュ部３０をプッシュすることにより筆記部２０からシャープペンの芯が出てくる。シャープペンの芯が出てくる構造については従来と異なるところがないため説明を割愛する。
【００１４】
その他、シャープペンシル１の他筆記具として、図７乃至図１３に示すようにボールペン２とすることもできる。形状は、シャープペンシル１と同様であるため、同一形状から生じる同様の作用効果を奏する。
【００１５】
その他、シャープペンシル１の他筆記具として、図１４乃至図２０に示すように鉛筆３とすることもできる。形状は、シャープペンシル１と同様であるため、同一形状から生じる同様の作用効果を奏する。
【００１６】
その他、参考例１として、図２１乃至図２６に示すように、消しゴム４にも応用することができる。形状は、シャープペンシル１と同様であるため、同一形状から生じる同様の作用効果を奏する。
【００１７】
その他、参考例２として、図２７乃至図３４に示すように、箸５にも応用することができる。図２７に示すように、箸５は断面四角形状の一方箸５１及び断面五角形状の他方箸５２を有する。箸５は、一方箸５１が断面四角形状であることにより、一方箸５１を親指の付け根にはさみやすくなっている。そのため、一方箸５１を固定し易い。他方、他方箸
５２は断面五角形状であることにより、角が多くなり人差し指と中指で挟んだ場合に角が
大きくなり使い易い。さらに、一角が大きくなることにより、つかんだときに断面四角形状の場合と比較して痛くない。断面四角形状であると角が９０度と急角度となり、人差し指及び中指に角が当たり痛いためである。
【００１８】
その他、参考例３として、図３５乃至図４０に示すように、箸６にも応用することができる。形状は、シャープペンシル１と同様であるため、同一形状から生じる同様の作用効果を奏する。なお、箸６は２本存在するが、２本とも形状が同一であるため、図３５乃至図４０では、一方の箸を省略する。
【００１９】
その他、参考例４として、図４１乃至図４６に示すように、箸７にも応用することができる。形状は、シャープペンシル１と同様であるため、同一形状から生じる同様の作用効果を奏する。なお、箸６は２本存在するが、２本とも形状が同一であるため、図４１乃至図４６では、一方の箸を省略する。
【符号の説明】
【００２０】
１  シャープペンシル
２  ボールペン
３  鉛筆
４  消しゴム
５、６、７  箸
【図１】
2014046513.tif 000003
【図２】
2014046513.tif 000004
【図３】
2014046513.tif 000005
【図４】
2014046513.tif 000006
【図５】
2014046513.tif 000007
【図６】
2014046513.tif 000008
【図７】
2014046513.tif 000009
【図８】
2014046513.tif 000010
【図９】
2014046513.tif 000011
【図１０】
2014046513.tif 000012
【図１１】
2014046513.tif 000013
【図１２】
2014046513.tif 000014
【図１３】
2014046513.tif 000015
【図１４】
2014046513.tif 000016
【図１５】
2014046513.tif 000017
【図１６】
2014046513.tif 000018
【図１７】
2014046513.tif 000019
【図１８】
2014046513.tif 000020
【図１９】
2014046513.tif 000021
【図２０】
2014046513.tif 000022
【図２１】
2014046513.tif 000023
【図２２】
2014046513.tif 000024
【図２３】
2014046513.tif 000025
【図２４】
2014046513.tif 000026
【図２５】
2014046513.tif 000027
【図２６】
2014046513.tif 000028
【図２７】
2014046513.tif 000029
【図２８】
2014046513.tif 000030
【図２９】
2014046513.tif 000031
【図３０】
2014046513.tif 000032
【図３１】
2014046513.tif 000033
【図３２】
2014046513.tif 000034
【図３３】
2014046513.tif 000035
【図３４】
2014046513.tif 000036
【図３５】
2014046513.tif 000037
【図３６】
2014046513.tif 000038
【図３７】
2014046513.tif 000039
【図３８】
2014046513.tif 000040
【図３９】
2014046513.tif 000041
【図４０】
2014046513.tif 000042
【図４１】
2014046513.tif 000043
【図４２】
2014046513.tif 000044
【図４３】
2014046513.tif 000045
【図４４】
2014046513.tif 000046
【図４５】
2014046513.tif 000047
【図４６】
2014046513.tif 000048